(57)【要約】【課題】  金融端末に直接の接続が許可されていない端末に対して、そのモニタに表示された表示データを解析して外部端末において共有する表示データ解析装置を提供する。【解決手段】  金融情報を表示する表示装置を有する金融端末に対して、前記表示装置に表示された前記金融情報の撮像を行う撮像装置と、前記撮像装置により撮像された表示データを解析する画像解析装置とからなる表示データ解析装置であって、撮像された表示データを受信する表示データ受信手段と、表示データを一時記憶する揮発性メモリと、表示データの少なくとも数値の位置を認識する位置認識手段と、位置認識手段によって認識された位置にある数値に対してＯＣＲ処理を行う数値識別手段と、第一の表示データと第二の表示データとを一組として各組に含まれるＯＣＲ処理結果を比較して相違している場合にエラーとして破棄する比較判定手段とを含む。【選択図】    図１
2007058480.tif 000002
【特許請求の範囲】
【請求項１】
金融商品について流動的に変化する数値及び文字を含む金融情報を表示する表示装置を有する金融端末に対して、前記表示装置に表示された前記金融情報の撮像を行う撮像装置と、前記撮像装置により撮像された表示データを解析する画像解析装置とからなる表示データ解析装置であって、
前記画像解析装置が、
前記撮像装置により撮像された前記表示データを受信する表示データ受信手段と、
前記表示データを一時記憶する揮発性メモリと、
前記表示データの少なくとも数値の位置を認識する位置認識手段と、
前記位置認識手段によって認識された位置にある前記数値に対してＯＣＲ処理を行う数値識別手段と、
連続した第一の表示データと第二の表示データとを一組として各組に含まれるＯＣＲ処理結果を比較して相違している場合に、前記第一の表示データと前記第二の表示データとをエラーとして破棄する比較判定手段とを含むことを特徴とする表示データ解析装置。
【請求項２】
前記位置認識手段、前記数値識別手段及び前記比較手判定手段が前記揮発性メモリ上に存在する請求項１に記載の表示データ解析装置。
【請求項３】
前記画像解析装置がさらに、前記比較判定手段による判定結果が相違していない場合に、前記第一の表示データと前記第二の表示データとのうち一方のＯＣＲ処理結果を、前記画像解析装置に有線または無線により接続された、表示データを共有する為の外部端末に対して送信するＯＣＲ処理結果送信手段を含む請求項１または２に記載の表示データ解析装置。
【請求項４】
前記撮像装置が、２０映像／秒以上のキャプチャリングサイクルを有する請求項１乃至３のいずれかに記載の表示データ解析装置。
【請求項５】
前記位置認識手段が、前記表示データに含まれる前記数値及び文字の位置を、Ｘ，Ｙ座標を利用した認識枠で自動的に認識する請求項１乃至４のいずれかに記載の表示データ解析装置。
【請求項６】
前記位置認識手段が、前記表示データの前記数値または文字の位置を、予め入力され指定されたＸ，Ｙ座標値に従って、指定枠により認識する請求項１乃至４のいずれかに記載の表示データ解析装置。
【請求項７】
前記数値識別手段が、枠によって認識された前記数値及び文字のうち、前記数値のみを前記Ｘ，Ｙ座標により判別してＯＣＲ処理を行う請求項５または６に記載の表示データ解析装置。
【請求項８】
前記画像解析装置がさらに、前記ＯＣＲ処理結果を前記解析装置に接続された表示手段に表示するための形式に加工するＯＣＲ処理結果画像化手段を有する請求項３乃至７のいずれかに記載の表示データ解析装置。
【請求項９】
前記外部端末がＯＣＲ処理結果画像化手段を有し、前記ＯＣＲ処理結果画像化手段が受信したＯＣＲ処理結果を前記外部端末が有する表示手段に表示するための形式に加工する請求項３乃至８のいずれかに記載の表示データ解析装置。
【発明の詳細な説明】
【技術分野】
【０００１】
本発明は表示データ解析装置に関し、特に金融機関から送られてくるデータの表示を解析して複数の端末でのデータ共有を可能にする表示データ解析装置に関する。
【背景技術】
【０００２】
従来、金融機関（例として、取引所や金融ブローカー等）と電子通信手段を介して接続され金融商品の価格を表示する端末（以下、金融端末とする）があるが、その秘匿性から一定場所での閲覧のみが許され、端末等に対してインターフェースやソフトウェアのインストールに制約が設けられている場合がある。特に、金融端末自体にその他外部接続を行うことを禁止することで漏洩防止が徹底されている場合が多い。すなわち、金融機関から送信された金融情報、特に金融商品の価格等についての情報は、送信された金融端末で扱うことのみが可能であった。
【０００３】
一方、映像や画像を取得して画像認識を行う装置としては、画像の特徴を予め把握してその距離を計測する装置や、３次元または２次元物体の傾度等を画像から計測する装置等、多くの装置が知られている。
【０００４】
特許文献１は、ＲＳ−２３２ＣやＩｒＤＡ等の外部伝送インターフェースを有しない各種計測機器であっても、撮影画像から表示データを解析できる表示データ解析装置、媒体、および情報集合体が記載されている。
【特許文献１】特開２００２−２４８００号公報
【発明の開示】
【発明が解決しようとする課題】
【０００５】
上述したような金融端末外にある外部端末への接続用インターフェースやソフトウェアのインストールが一切禁止されている金融端末の場合、該端末に対して送信されたデータを閲覧が許されている多数の人間間で共有することも非常に困難であった。このため、モニタに映し出された画像を取り込んで共有化するという作業が必要になった。
【０００６】
一方、この画像を取り込んでデータ化する際には、カメラによる画像のキャプチャリング、画像解析（ＯＣＲ処理）、データ化といったそれぞれの各工程が必要である。
【０００７】
カメラによるキャプチャリングの場合、レンズによる曲率や周囲の光源変化等により連続取得された取得画像が全て一定の画質を有するわけではなく、また画像は金融情報の時間的変遷から刻一刻と変化するため、ＯＣＲ処理が正確な数値を算出する程の画像抽出は非常に困難であった。さらには、金融情報の数値変化に対するディーラーの反応速度から鑑みて、撮像装置による撮像は２０映像／秒以上のキャプチャリングサイクルが必要であり、このキャプチャリング速度に伴う正確なＯＣＲ及び膨大な画像を処理する迅速な処理速度が画像解析装置に求められた。
【０００８】
特許文献１に記載の発明は、画像を正確に認識するために対象物に対してマーカを貼付し、撮影後の位置補正を行うために予め対象物を複数の角度から撮影しておく。対象物に対して画像撮像装置が所定の複数の角度位置に位置しているときに画像撮像装置によってあらかじめ撮影されたマーカの位置、形状、色および貼付パターンの全部または一部に関する撮影情報を利用して、マーカ認識装置は、実際に撮影された画像のなかのマーカを検出しその位置を算出する。その後、セグメント位置補正装置がマーカ位置情報から画像中の対象物の歪みを算出し、データ表示領域を補正してデータ認識装置を通して認識結果を出力している。
【０００９】
本願の場合、撮像を最低限２０映像／秒というキャプチャリングサイクルで行う必要があり、かつその条件を満たす画像処理速度を画像処理装置が有する必要がある。あらかじめ撮影されたマーカから位置補正を行うこと、すなわちそれは膨大なサンプルデータ量から現在のマーカ位置を判別するために、結果、ハードディスクなどの物理デバイスにアクセスを行うことに繋がり、処理速度の低下は免れない。揮発性メモリのみを使用する場合でもＣＰＵに対するタスク作業負担が大きいため、ＯＣＲ処理に悪影響を与えることも考えられる。
【００１０】
本発明は上記問題点に鑑み為されたものであり、本発明の目的は、金融端末に直接の接続が許可されていない端末に対して、そのモニタに表示された表示データを解析して外部端末において共有する表示データ解析装置を提供することにある。
【課題を解決するための手段】
【００１１】
本発明は、表示データ解析装置に関し、特に金融機関から送られてくるデータの表示を解析して複数の端末でのデータ共有を可能にする表示データ解析装置に関し、本発明の上記目的は、金融商品について流動的に変化する数値及び文字を含む金融情報を表示する表示装置を有する金融端末に対して、前記表示装置に表示された前記金融情報の撮像を行う撮像装置と、前記撮像装置により撮像された表示データを解析する画像解析装置とからなる表示データ解析装置であって、前記画像解析装置が、前記撮像装置により撮像された前記表示データを受信する表示データ受信手段と、前記表示データを一時記憶する揮発性メモリと、前記表示データの少なくとも数値の位置を認識する位置認識手段と、前記位置認識手段によって認識された位置にある前記数値に対してＯＣＲ処理を行う数値識別手段と、連続した第一の表示データと第二の表示データとを一組として各組に含まれるＯＣＲ処理結果を比較して相違している場合に、前記第一の表示データと前記第二の表示データとをエラーとして破棄する比較判定手段とを含むことによって達成される。
【００１２】
また、本発明の上記目的は、前記位置認識手段、前記数値識別手段及び前記比較手判定手段が前記揮発性メモリ上に存在することにより、或いは前記画像解析装置がさらに、前記比較判定手段による判定結果が相違していない場合に、前記第一の表示データと前記第二の表示データとのうち一方のＯＣＲ処理結果を、前記画像解析装置に有線または無線により接続された、表示データを共有する為の外部端末に対して送信するＯＣＲ処理結果送信手段を含むことにより、或いは前記撮像装置が、２０映像／秒以上のキャプチャリングサイクルを有することにより、或いは前記位置認識手段が、前記表示データに含まれる前記数値及び文字の位置を、Ｘ，Ｙ座標を利用した認識枠で自動的に認識することにより、或いは前記位置認識手段が、前記表示データの前記数値または文字の位置を、予め入力され指定されたＸ，Ｙ座標値に従って、指定枠により認識することにより、或いは前記数値識別手段が、枠によって認識された前記数値及び文字のうち、前記数値のみを前記Ｘ，Ｙ座標により判別してＯＣＲ処理を行うことにより、或いは前記画像解析装置がさらに、前記ＯＣＲ処理結果を前記解析装置に接続された表示手段に表示するための形式に加工するＯＣＲ処理結果画像化手段を有することにより、或いは前記外部端末がＯＣＲ処理結果画像化手段を有し、前記ＯＣＲ処理結果画像化手段が受信したＯＣＲ処理結果を前記外部端末が有する表示手段に表示するための形式に加工することによって、より効果的に達成される。
【発明の効果】
【００１３】
本発明は、表示データ解析装置により外部端末のモニタに表示された表示データを読み取ってＯＣＲ解析により他の端末と表示データの共有を行うことを可能にしたシステムである。
【００１４】
これにより、規約により利用が許可された一定場所内において複数の端末で表示データの共有を行うことができる。
【００１５】
撮像した表示データは、ＸＹ座標を利用した認識枠により各数値及び文字の位置を判別し、数値の摘出及びＯＣＲ処理を行う。この時、揮発性メモリのみが利用され、随時データ量も１〜２Ｍバイト程度に抑えることが可能となっている。さらには、外部端末へ送信する最終的なデータは、表示データとして送信するわけではなく、表示データ内のＯＣＲ処理された数値のみが外部端末に送信されるため、転送量の低減による外部端末での表示速度の迅速化を図っている。
【００１６】
これにより、表示データの解析を２０画像／秒以上のキャプチャリングサイクルを有する、投資家の反応に最低限必要とされる０．１秒ごとの金融商品に関する情報画像の閲覧条件をクリアすることが可能となっている。
【００１７】
また、カメラのノイズ等により、撮像装置により撮像された連続する表示データはそれぞれ異なった品質を有するが、それに起因するＯＣＲ処理のエラーは、組にされた表示データのＯＣＲ処理結果の相違を判別して破棄することで、正確な金融情報を外部端末において共有することを可能としている。
【発明を実施するための最良の形態】
【００１８】
本発明は、直接端末に対して外部接続を行うインターフェースやソフトウェアの導入を禁止されている金融端末に対し、該端末が表示している表示データを撮像手段により撮像し、画像解析を行って複数の端末で共有可能なデータを作成する表示データ解析装置である。
【００１９】
以下、図面を用いて詳述する。
【００２０】
図１は、本発明に係る表示データ解析装置の全体構成図である。
【００２１】
金融商品についての流動的な金融情報の数値及び文字は、金融機関と電子通信回線を介して接続された金融端末のモニタ２に表示される。
【００２２】
表示データ解析装置１は、モニタ２に表示された金融情報を表示データとして撮像する撮像装置３と、撮像された画像を有線又は無線により撮像装置３から受信して解析する画像解析装置４とから構成されている。撮像装置３はモニタ２の常時撮影を続けるため、撮像にずれが無いように各個固定する必要がある。図１のように同一台に双方を固定するのがより好ましい。
【００２３】
モニタ２に表示された画面を表示データとして撮像することから、撮像装置３にはＣ−ＭＯＳカメラを例とする、モニタ２よりも高解像度のものを利用する必要がある。また、撮像装置３のカメラに利用するレンズは表示データ取得時の画像歪みを防ぐために非球面レンズを利用することが最も望ましいが、より一般的な球面レンズを利用する場合には５０ｍｍ以上のＣマウントレンズを利用し、撮像装置３とモニタ２との距離を１．５ｍ以上取ることにより歪みを無視できる程度まで除去できる。
【００２４】
撮像装置３は撮像された表示データを解析する画像解析装置４と有線または無線により接続されている。図２に画像解析装置４の内部構造を示す。
【００２５】
画像解析装置４内には、撮像装置３から撮像された表示データを取得する画像受信手段４１と、取得した表示データを一時記憶する揮発性メモリ４２と、表示データ内の数値及び文字の位置を認識する位置認識手段４３と、表示データ内の数値をＯＣＲ処理により識別する数値識別手段４４と、送信された連続する表示データを１組としてＯＣＲ処理結果を比較判定する比較判定手段４５と、複数の他端末に対して解析されたデータを送信するＯＣＲ処理結果送信手段４７とから構成されている。
【００２６】
高速な自動解析を実現するため、ＯＳによるメモリ占有、上記各手段の処理によるメモリ占有及び取り込まれた表示データによるメモリ占有を考慮し、揮発性メモリ４２は作業時にメモリスワップが起きない程度の容量を確保しておく必要がある。また、処理速度を考慮し、位置認識手段４３、数値識別手段４４及び比較判定手段４５は揮発性メモリ４２上にあるのが好ましい。ＯＣＲ処理結果を画像解析装置４に接続された表示手段（図示しない）を利用して参照する場合には、ＯＣＲ処理結果を表示可能な形式に加工するＯＣＲ処理結果画像化手段４７を画像解析装置４内に内包する。画像解析装置４に接続される外部端末においても、画像解析装置４から受信したＯＣＲ処理結果を外部端末が有する表示手段（図示しない）に表示するためのＯＣＲ処理結果画像化手段を内包する。
【００２７】
上記構成を用いた本発明の流れを図３のフローチャートを利用して説明する。
【００２８】
まず、撮像手段３はモニタ２に常時表示されている金融情報の撮像を行う（ステップＳ１０１）。モニタ２は金融端末の一部であり、金融端末が金融機関より取得した常時変化する金融情報を表示している。撮像装置３は、モニタ２上に表示されている金融情報を２０画像／秒以上のキャプチャリングサイクルにより撮像する。２０画像／秒以上のキャプチャリングとしたのは、後述するエラーチェックにより実質的に利用される画像数が半分になること、及びディーラー画面の変化に対する反応速度として０．１秒が目安となっていることによる。よりわかりやすく詳述するため、以下の説明は撮像装置３によって撮像された１枚の表示データの処理で説明する。
【００２９】
撮像装置３により撮像された表示データは、画像解析装置４へと有線または無線により送信される（ステップＳ１０２）。送信された表示データは、解析装置４内の画像受信手段４１により受信される。受信した表示データは、揮発性メモリ４２内に保存される（ステップＳ１０３）。
【００３０】
図４に撮像により取得された表示データと枠の一例を示す。取得された表示データには数値及び文字が含まれており、イメージ化されている。その数値及び文字の位置を位置認識手段４３が認識する。位置認識は各数値及び文字の位置に枠を設定することで判別するが、自動で枠（認識枠）を設定する場合と手動で枠を設定する場合とがある。まず、自動で枠を設定する場合について述べる（ステップＳ１０４  ＮＯ、ステップＳ１０５  ＮＯ）。
【００３１】
表示データ内に含まれる数値及び文字イメージは、位置認識手段４３によって数値及び文字の存在エリアに設定枠がＸ，Ｙ座標値と共に設定される（ステップＳ１０６）。数値又は文字の認識は、空白又は改行があるごとにそれぞれの枠を区切ることによって行われる。また、設定された設定枠のＸ，Ｙ座標値は、後述する数値認識手段４４によって数値か文字かの識別が行われ、文字であると判断された場合には、そのＸ，Ｙ座標値に存在する設定枠には処理迅速化のためＯＣＲ処理を適用しない。詳細は後述する。
【００３２】
次に、表示データの枠設定を手動で行う場合（ステップＳ１０４  ＮＯ、ステップＳ１０５  ＹＥＳ）について説明する。
【００３３】
金融端末に表示される金融情報は、数値部分の位置は変わらずに数値のみが変化していく場合が多い。すなわち、予め数値の存在するＸ，Ｙ座標値を位置認識手段４３に外部入力等により設定しておくことで表示データの指定された枠内に存在する数値イメージを読み取ることができる。また、既に手動により枠が設定されている場合（ステップＳ１０４  ＹＥＳ）には、ＯＣＲ処理を行うためにステップＳ１０８へと進む。なお、文字が存在する領域についても枠設定をしても構わないが、ＯＣＲ処理は行われない。図５に手動で枠を設定する場合の入力画面の一例を示す。ここでは、２１に文字の枠を設定し、１〜２０に数値を認識する為の枠を設定している。１〜５及び１６〜２０については下２桁は共に０の不変値であるためにあえて枠設定をせず、揮発性メモリ４２の使用量を抑えている。
【００３４】
数値識別手段４４は、設定された枠内に存在する数値及び文字イメージに対してＯＣＲ処理を行い、数値又は文字認識を行う（ステップＳ１０８）。ＯＣＲ処理の処理速度をより上げるためには、数値のみをＯＣＲ処理するようにするのが好ましい。数値のみであれば適用する文字数も少なくなるためＯＣＲ辞書の少量化及び処理自体の軽減にも繋がり、後述するエラー表示データ数を少なくすることになる。なお、数値のみをＯＣＲ処理するに際し、設定枠を自動設定した場合には、数画像の表示データのＯＣＲ処理結果時に全ての画像においてエラーとなった枠について自動的に文字と認識し、以下の表示データに対するＯＣＲ処理をその設定枠に対して行わないことで設定枠の自動設定時でも対応できる。この時、文字が存在すると認識された枠については、その枠の存在するＸ，Ｙ座標値を揮発性メモリ４２が記憶し、数値認識手段４４がそのＸ，Ｙ座標値をＯＣＲ処理しないことで実現される。また、後述する外部端末にＯＣＲ処理結果を送信する際に、文字が存在する枠についてのデータは、文字が存在することのみを知らせる情報を数値認識手段４４が含ませることも可能である。
【００３５】
なお、枠内の読み取られた数値は、必要なバイト数毎に揮発性メモリ４２内に格納される。図６に揮発性メモリ内に格納されるＯＣＲ処理結果の一例を示す。本例では、６バイトと設定し６桁の数まで対応可能としている。例として１枚の表示データ中に数値認識用の枠を６００個、文字認識用の枠を２０と設定すると、画像の枚数を示すデータと併せて、
６＋（６×６００）＋（６×２０）＝３７２６Ｂｙｔｅ
の揮発性メモリ４２の使用量で済む。
【００３６】
同様に次に取得された表示データについてもＯＣＲ処理を行う（ステップＳ１０９）。表示データには撮像装置３のカメラノイズ等に起因するばらつきがそれぞれ存在する。このため、ＯＣＲ処理時にその数値を正確に認識できないエラーが発生する場合がある。このエラー認識を除去するため、連続して撮像された表示データ２つを１組としてＯＣＲ処理結果の比較判定を比較判定手段４５が行う（ステップＳ１１０）。この比較においてＯＣＲ処理結果に差異が発見された場合（ステップＳ１１１  ＹＥＳ）には、両表示データを基にしたＯＣＲ処理結果をエラーとして破棄する。上述したように、撮像装置３のキャプチャリングサイクルは２０画像／秒以上であり、各表示データの撮像間隔は０．０５秒以下となる。両画像を破棄することにより正常な画像として認識される表示データの間隔に差が出てしまう場合には撮像間隔を短くすることや、モニタ２と撮像装置３との距離を調節して画像歪みの除去を行う必要がある。また、モニタ２の液晶反応速度が遅い場合や、２つの表示データ間で金融情報の数値変動があった場合にもＯＣＲ処理認証エラーや比較後の差異が発生するが、正確を期すためこの場合においても両表示データを基にしたＯＣＲ処理結果をエラーとして破棄する。結果として、ディーラーの一般的な反応速度である０．１秒という仕様を満たすために１０画像／秒以上のＯＣＲ処理結果が得られるのが好ましい。なお、ＯＣＲ処理認識が行われた表示データについてはここで破棄される。また、画像比較が行われる表示データの数はその撮像環境等に合わせて２つ以上であっても構わないが、他端末に送信するＯＣＲ処理結果の間隔がその分開いてしまうために２つであるのが最も好ましい。
【００３７】
ＯＣＲ処理結果に差異が発見されない場合（ステップＳ１１１  ＮＯ）、正確な数値としてＯＣＲ処理結果送信手段４７がこのＯＣＲ結果を送信する(ステップＳ１１３)。２つの表示データによるＯＣＲ処理結果をステップＳ１１０において比較しているため、どちらか一方の表示データを用いたＯＣＲ処理結果をＯＣＲ処理結果送信手段４７送信すれば構わない。また、これにより無駄なトラフィックを省き解析装置４の作業効率を上げることにも繋がる。なお、送信されたＯＣＲ処理結果は揮発性メモリ４２上から破棄される。また、画像解析装置４に表示手段（ＣＲＴ、液晶等）が接続されている場合、ＯＣＲ処理結果画像化手段４６がＯＣＲ処理結果を画像化し、該表示手段に表示することで画像解析装置４上でも解析結果を確認することが可能となっている。
【００３８】
ＯＣＲ処理結果は表示データに含まれるイメージをＯＣＲ処理により数値化したデータの羅列となるが、このＯＣＲ処理結果がＯＣＲ処理結果送信手段４７によって送信される外部端末においてもＯＣＲ処理結果画像化手段を備えることで、表示データとして表示可能な形式に加工することが可能となる。これは、ＯＣＲ処理結果画像化手段が予め送信されてきた数値の順番に、当てはめるＸ，Ｙ座標を規定しておくことで金融端末のモニタ２に表示された表示データと同様の数値を有する画像ができあがる。文字については文字があることのみを知らせる事項が表示される。図７に外部端末において表示される画面の一例を示す。
【００３９】
その後、撮像の停止が行われるまで上記工程が繰り返される（ステップＳ１１４）。
【００４０】
以下、具体的な実施例について述べる。
（実施例１）  本実施例では、証券取引端末を利用した解析システムについて述べる。金融端末は取引所からもたらされたものであり、インターフェースを直接接続したデータの分岐が禁止されている。モニタ２についても同様である。モニタ２の解像度はＸＧＡ画像解像度（１０４０×７６８ｐｉｘｅｌ）である。
【００４１】
撮像装置３には画像歪みを防ぐために５０ｍｍのＣマウントレンズを使用し、モニタ２と撮像装置３との間に１．５ｍの距離をとり、双方を設置台に固定する。なお、撮像装置３の解像度は１２８０×１０２４ｐｉｘｅｌである。
【００４２】
解析装置４には、ＣＰＵをペンティアム（登録商標）４、２．８ＧＨｚ、メモリ（揮発性メモリ）１ＧＢｙｔｅの端末を使用し、上述した各手段はメモリ内に格納されている。
【００４３】
モニタ２に表示される金融情報は、撮像装置３のＣマウントレンズにより２０画像／秒のキャプチャリングサイクルにより撮像される。撮像された表示データは解析装置４に送信され、予め設定された枠内に存在する数値のＯＣＲ処理認識を行って２つの連続する表示データを一組としてＯＣＲ処理結果を比較判定する。その結果、表示データの５％〜１０％でばらつきが生じ、エラーとして破棄を行っている。なお、表示データに含まれる数値の文字数はおよそ４０００文字であり、枠数は約７００である。また、解析装置４の揮発性メモリの利用容量は表示データの受信、破棄をそれぞれ繰り返すことにより約２Ｍｂｙｔｅ程度の消費で済んでいる。この条件下において、撮像装置３によるモニタ２の撮像から、外部端末２での表示までは０．０１〜０．１秒以内の誤差で表示することができる。
【図面の簡単な説明】
【００４４】
【図１】本発明に係る、表示データ解析装置の構成図である。
【図２】本発明に係る、画像解析装置内の構成図である。
【図３】本発明に係る、表示データ解析装置の動作例を表すフローチャートである。
【図４】本発明に係る、撮像により取得された表示データと枠の一例である。
【図５】本発明に係る、手動で枠を設定する場合の入力画面の一例である。
【図６】本発明に係る、揮発性メモリ内に格納されたＯＣＲ処理結果の一例である。
【図７】本発明に係る、外部端末において表示される画面の一例である。
【符号の説明】
【００４５】
１          表示データ解析装置
２          モニタ
３          撮像装置
４          画像解析装置
４１        表示データ受信手段
４２        揮発性メモリ
４３        位置認識手段
４４        数値識別手段
４５        比較判定手段
４６        ＯＣＲ処理結果画像化手段
４７        ＯＣＲ処理結果送信手段
【図１】
2007058480.tif 000003
【図２】
2007058480.tif 000004
【図３】
2007058480.tif 000005
【図４】
2007058480.tif 000006
【図５】
2007058480.tif 000007
【図６】
2007058480.tif 000008
【図７】
2007058480.tif 000009